(57)【要約】【課題】定着装置の交換回数及びダウンタイムを低減させることが可能な着制御装置、画像形成装置及び定着制御方法を提供することを目的とする。【解決手段】複数の加熱体を有し、画像データに基づき形成された未定着トナー像を記録材に定着させる定着装置を制御する定着制御装置であって、前記画像データを複数のエリアに分割した際の前記エリア毎の画像の有無を判断する画像有無判断部と、前記複数の加熱体から、前記画像が有るエリアに対応する位置にある加熱体を選択する加熱体選択部と、選択された前記加熱体において故障した加熱体が含まれるとき、前記故障した加熱体以外の加熱体に前記画像が有るエリアを割り当てるように画像領域を変換させる画像領域変換部と、を有する。【選択図】図１１
2014163981.tif 000002
【特許請求の範囲】
【請求項１】
複数の加熱体を有し、画像データに基づき形成された未定着トナー像を記録材に定着させる定着装置を制御する定着制御装置であって、
前記画像データを複数のエリアに分割した際の前記エリア毎の画像の有無を判断する画像有無判断部と、
前記複数の加熱体から、前記画像が有るエリアに対応する位置にある加熱体を選択する加熱体選択部と、
選択された前記加熱体において故障した加熱体が含まれるとき、前記故障した加熱体以外の加熱体に前記画像が有るエリアを割り当てるように画像領域を変換させる画像領域変換部と、を有する定着制御装置。
【請求項２】
選択された前記加熱体において故障した加熱体が含まれるか否かを検知し、故障した加熱体が検知された場合には、前記故障した加熱体の位置を示す位置情報を保持する故障検知部を有する請求項１記載の定着制御装置。
【請求項３】
前記複数のエリアは、ｍ行×ｎ列となるように分割されており、
前記行毎に画像が有るか否かを判断し、前記行に対応した記憶手段に前記行に画像が有ることを示す識別情報をセットし、
前記列毎に画像が有るか否かを判断し、前記列に対応した記憶手段に前記列に画像が有ることを示す識別情報をセットする識別情報セット部を有し、
前記画像領域変換部は、
前記故障検知部により検知された位置情報と、前記識別情報セット部によりセットされた識別情報と、に基づき、前記故障した加熱体以外の加熱体に前記画像が有るエリアを割り当てるように前記画像領域を変換させる請求項２記載の定着制御装置。
【請求項４】
前記エリア毎の画素カウント値の累積値を得る画素カウント部を有し、
前記画像有無判断部は、
前記累積値が所定値以上のとき、前記エリアに画像が有ると判断し、
前記識別情報セット部は、
前記行に前記累積値が所定値のエリアが含まれるとき、前記行に画像が有ることを示す識別情報をセットし、
前記列に前記累積値が所定値のエリアが含まれるとき、前記列に画像が有ることを示す識別情報をセットする請求項３記載の定着制御装置。
【請求項５】
前記画像領域変換部は、
前記画像を移動させる処理、前記画像を回転させる処理、前記画像を縮小する処理、前記画像を集約させる処理の何れかにより、前記故障した加熱体以外の加熱体に前記画像が有るエリアを割り当てるように前記画像領域を変換させる請求項１ないし４の何れか一項に記載の定着制御装置。
【請求項６】
前記画像領域変換部は、
前記画像を移動させる処理、前記画像を回転させる処理、前記画像を縮小する処理、前記画像を集約させる処理のそれぞれに設けられた優先順位に基づき各処理を実行させる請求項５記載の定着制御装置。
【請求項７】
前記優先順位は、
当該定着制御装置が搭載される画像形成装置の出力設定に基づき決定される請求項６記載の定着制御装置。
【請求項８】
複数の加熱体を有し、画像データに基づき形成された未定着トナー像を記録材に定着させる定着装置を制御する定着制御装置を有する画像形成装置であって、
前記定着制御装置は、
前記画像データを複数のエリアに分割した際の前記エリア毎の画像の有無を判断する画像有無判断部と、
前記複数の加熱体から、前記画像が有るエリアに対応する位置にある加熱体を選択する加熱体選択部と、
選択された前記加熱体において故障した加熱体が含まれるとき、前記故障した加熱体以外の加熱体に前記画像が有るエリアを割り当てるように画像処理部に画像領域を変換させる画像領域変換部と、を有する画像形成装置。
【請求項９】
複数の加熱体を有し、画像データに基づき形成された未定着トナー像を記録材に定着させる定着装置を制御する定着制御装置により実行される定着制御方法であって、
前記画像データを複数のエリアに分割した際の前記エリア毎の画像の有無を判断する画像有無判断手順と、
前記複数の加熱体から、前記画像が有るエリアに対応する位置にある加熱体を選択する加熱体選択手順と、
選択された前記加熱体において故障した加熱体が含まれるとき、前記故障した加熱体以外の加熱体に前記画像が有るエリアを割り当てるように画像領域を変換させる画像領域変換手順と、を有する定着制御方法。
【発明の詳細な説明】
【技術分野】
【０００１】
本発明は、複数の加熱体を有し、画像データに基づき形成された未定着トナー像を記録材に定着させる定着装置を制御する定着制御装置、画像形成装置及び定着制御方法に関する。
【背景技術】
【０００２】
従来の画像形成装置では、熱応答性の良いサーマルヘッドやレーザ光線等を用いた定着装置を備えたものがある。定着装置を備える画像形成装置では、例えば特許文献１に記載されているように、デジタルの画像データに基づいて、記録材上のトナーが乗っている所のみ、あるいはその近傍のみを選択的に加熱して未定着トナーを定着させる技術が知られている。
【発明の概要】
【発明が解決しようとする課題】
【０００３】
上記従来の定着装置では、加熱体が主走査方向に沿って複数配置されているため、１つの加熱体に不具合が発生した場合でも、定着装置全体の不具合と判断される。よって従来の定着装置では、定着装置の交換回数が増える可能性がある。また画像形成装置において定着装置の交換回数が増えると、それに伴い画像形成装置のダウンタイムが増加する虞がある。
【０００４】
本発明は、上記事情を鑑みてこれを解決すべく成されたものであり、定着装置の交換回数及びダウンタイムを低減させることが可能な着制御装置、画像形成装置及び定着制御方法を提供することを目的とする。
【課題を解決するための手段】
【０００５】
本発明は、上記目的を達成するために、以下の如き構成を採用した。
【０００６】
本発明は、複数の加熱体を有し、画像データに基づき形成された未定着トナー像を記録材に定着させる定着装置を制御する定着制御装置であって、前記画像データを複数のエリアに分割した際の前記エリア毎の画像の有無を判断する画像有無判断部と、前記複数の加熱体から、前記画像が有るエリアに対応する位置にある加熱体を選択する加熱体選択部と、選択された前記加熱体において故障した加熱体が含まれるとき、前記故障した加熱体以外の加熱体に前記画像が有るエリアを割り当てるように前記画像領域を変換させる画像領域変換部と、を有する。
【発明の効果】
【０００７】
本発明によれば、定着装置の交換回数及びダウンタイムを低減させることができる。
【図面の簡単な説明】
【０００８】
【図１】本実施形態の画像形成装置の構成の概略を示す図である。
【図２】本実施形態の定着ローラを説明する図である。
【図３】本実施形態の画像形成装置の構成を説明する図である。
【図４】画像領域判断部の機能を説明する図である。
【図５】画像データにおけるエリアの判断を説明する図である。
【図６】画像有無判定部による判定を説明する図である。
【図７】画像形成の際の定着装置の温度制御を説明する図である。
【図８】故障時処理部の機能を説明する図である。
【図９】フラグセット部の処理を説明する図である。
【図１０】画像形成装置の動作を説明するフローチャートである。
【図１１】定着制御の処理を説明するフローチャートである。
【図１２】画像領域変換部の処理を説明する第一の図である。
【図１３】画像領域変換部の処理を説明する第二の図である。
【図１４】画像領域変換部の処理を説明する第三の図である。
【図１５】画像領域変換部の処理を説明する第四の図である。
【図１６】加熱体選択部の処理を説明するフローチャートである。
【図１７】加熱体に対する画像データのエリアの割り当てを説明する図である。
【図１８】エリアの幅が加熱体の幅と同じ場合の加熱体に対するエリアを割り当ての例を示す図である。
【発明を実施するための形態】
【０００９】
以下に図面を参照して本発明の実施形態について説明する。図１は、本実施形態の画像形成装置の構成の概略を示す図である。
【００１０】
本実施形態の画像形成装置１００は、スキャナ部１１０と、プリンタ部１２０とを有する。本実施形態の画像形成装置１００においてスキャナ部１１０は、読み取った原稿（図示せず）の反射光を電気信号に変換し、さらにそのアナログ電気信号をデジタル画像信号に変換してプリンタ部１２０に出力する。プリンタ部１２０は、スキャナ部１１０から入力された画像データ、又は画像形成装置１００と接続されたコンピュータ等から送信された画像データに基づき画像形成動作を行なう。
【００１１】
本実施形態のプリンタ部１２０は、感光体ドラム１２１、帯電器１２２、書き込み装置１２３、現像装置１２４、給紙装置１２５、転写装置１２６、分離装置１２７、定着装置１２８等を有する。
【００１２】
本実施形態において、感光体ドラム１２１は帯電器１２２により均一に帯電される。画像形成装置１００に入力された画像データは、後述する画像処理部で各種補正、各種変換・変倍等の処理がされた後に書き込み装置１２３に入力される。書き込み装置１２３は、入力された画像データに基づいてレーザ光を感光体ドラム１２１に照射する。感光体ドラム１２１上に形成された静電潜像は現像装置１２４により加熱溶融性のトナーにより現像され可視像化される。一方、給紙装置１２５から記録材（図示せず）が給紙ローラ１３１により給紙され、搬送ローラ１３２を介してレジストローラ１３３へ搬送される。レジストローラ１３３は感光体ドラム１２１上のトナー像に同期して記録材を送出する。この記録材に、転写装置１２６の作用により感光体ドラム１２１上のトナー像が転写される。
【００１３】
そして、分離装置１２７の作用により記録材が感光体ドラム１２１から分離され、搬送ガイド１３４に案内されて定着装置１２８に導かれる。記録材上の未定着トナー像が定着装置１２８により加熱定着され、記録材は排紙ローラ１３５により機外に排出される。また、感光体ドラム１２１は記録材の分離後にクリーニング装置１３６により残留トナーが除去され、除電器１３７により残留電荷が消去される。
【００１４】
本実施形態の画像形成装置１００では、書き込み装置１２３に入力される画像データを用いて、定着装置１２８における定着制御を行う。すなわち本実施形態の画像形成装置１００は、画像データに基づき感光体ドラム１２１上に形成されたトナー像を記録材に定着させることで、記録材に画像を形成する。
【００１５】
以下に本実施形態の定着装置１２８について説明する。本実施形態の定着装置１２８は、定着ローラ１２９と加圧ローラ１３０と、定着ベルト１３８を有する。本実施形態の定着装置１２８では、定着ローラ１２９と加圧ローラ１３０とにより、記録材が挟持搬送されることで、未定着トナー像が記録材に定着される。
【００１６】
図２は、本実施形態の定着ローラを説明する図である。図２（Ａ）は、定着ローラ１２９の構成の概略を説明する図であり、図２（Ｂ）は、加熱体２００を説明する図である。
【００１７】
本実施形態の定着ローラ１２９は、内部に加熱体２００が設けられている。加熱体２００は、例えば複数の加熱体３０Ｎを含む。
【００１８】
図２（Ｂ）を参照して加熱体２００について説明する。本実施形態の加熱体２００は、複数の加熱体３０Ｎを有する。本実施形態の複数の加熱体３０Ｎは、それぞれの大きさが異なっても良いし、それぞれの大きさが同じであっても良い。図２（Ｂ）の例では、それぞれの加熱体３０Ｎの大きさが異なる例を示す。具体的には加熱体３０Ｎは、それぞれの主走査方向の幅が異なる。
【００１９】
本実施形態では、定着ローラ１２９の主走査方向の中央部分にある加熱体３０４の主走査方向の幅Ａ４を定着ローラ１２９の端部に近い加熱体３０Ｎの主走査方向の幅ＡＮよりも広くした。具体的には、定着ローラ１２９の主走査方向の一方の端部にある加熱体３０１の幅Ａ１、加熱体３０２の幅Ａ２、定着ローラ１２９の主走査方向の他方の端部にある加熱体３０Ｎの幅ＡＮは、加熱体３０４の主走査方向の幅Ａ４よりも狭い。加熱体３０３の主走査方向の幅Ａ３は、加熱体３０２の主走査方向の幅Ａ２より広く、加熱体３０４の主走査方向の幅Ａ４よりも狭くした。
【００２０】
定着ローラ１２９の主走査方向における中央部分では、未定着トナー像が形成されている可能性が高い。よって本実施形態では、中央部分に主走査方向に幅の広い加熱体３０４を配置した。このように加熱体を配置することで、配置する加熱体３０Ｎの数を削減でき、加熱体３０Ｎの制御を簡単にすることができる。また本実施形態では、定着ローラ１２９の主走査方向における両端部の加熱体の幅を、主走査方向の中央部分に配置された加熱体の幅よりも狭くした。これにより、記録材の主走査方向における両端部において、未定着トナー像が形成されていない領域に合わせて加熱体をオフさせたままとすることができる。
【００２１】
本実施形態の加熱体３０Ｎは、定着ローラ１２９において主走査方向の幅ＡＮと同じ幅×副走査方向の長さＷの領域を加熱する。本実施形態では、それぞれの加熱体３０Ｎの副走査方向の長さＷは全て同じとする。本実施形態では、加熱体２００の主走査方向の幅Ｈと記録材の主走査方向の幅とが一致するように、加熱体３０Ｎの主走査方向の幅ＡＮと数が決定されていることが好ましい。各加熱体は個々にオン・オフ制御される。
【００２２】
本実施形態の複数の加熱体３０Ｎは、例えばＩＨ（Induction Heating）コイルやサーマルヘッドアレイ等により実現されても良い。
【００２３】
次に本実施形態の画像形成装置１００の構成について説明する。図３は、本実施形態の画像形成装置の構成を説明する図である。
【００２４】
本実施形態の画像形成装置１００は、コントローラ制御部２１０、エンジン制御部２２０、ＨＤＤ（Hard Disk Drive）２３０、ＦＡＸユニット２３１、操作制御部２３２、読取制御部２３３、ＡＲＤＦ（自動両面反転原稿送り装置）２３４、書込制御部２３５、電装品２３６、ＤＣ（Direct Current）電源２３７、ＡＣ（Alternating Current）電源２３８を有する。
【００２５】
本実施形態のコントローラ制御部２１０は、画像形成動作の指定を受け付け、画像形成動作を設定する。具体的にはコントローラ制御部２１０は、画像形成、ユーザインターフェイスやモード設定、コピーやプリンタといったアプリケーションの制御などを司る。
【００２６】
エンジン制御部２２０は、プリンタエンジンの駆動制御等を行う。
【００２７】
ＨＤＤ２３０は、例えば処理対象のデータ等が格納される。ＦＡＸユニット２３１は、画像形成装置１００においてＦＡＸ機能を実現する。操作制御部２３２は、ユーザインターフェイスとなるタッチパネル（操作部）等の制御を行う。
【００２８】
読取制御部２３３は、スキャナ部１１０を制御するものであり、ＰＣＩ（Peripheral Component Interconnect）バスを介して読み取った画像をコントローラ制御部２１０の画像処理部２１４に伝達する。
【００２９】
書込制御部２３５は、コントローラ制御部２１０や読取制御部２３３からＰＣＩバスを介して送られてきた画像データを、画像形成を行うＬＤ（Laser Diode)ユニットやＬＥＤ（Light Emitting Diode）ユニットに送信することで、用紙にパターンを書込み、プリントやコピーといった動作を行う。
【００３０】
電装品２３６は、例えば温度センサ、モータ、ソレノイド等を含む。ＤＣ電源２３７とＡＣ電源２３８とは、各制御部へ電源を供給する。
【００３１】
次に本実施形態のコントローラ制御部２１０の構成を説明する。本実施形態のコントローラ制御部２１０は、ＣＰＵ（Central Processing Unit）２１１、ＲＡＭ（Random Access Memory）２１２、ＲＯＭ（Read Only Memory）２１３、画像処理部２１４、画像メモリ２１５、Ｉ／Ｆ（インターフェイス）２１６を有する。
【００３２】
ＣＰＵ２１１は、各種の処理動作を行う。ＲＡＭ２１２は、各種情報を一時的に記憶する。ＲＯＭ２１３は、制御プログラムを固定的に記憶する。画像処理部２１４は、例えば画像処理を行うＡＳＩＣ（Application Specific Integrated Circuit）等により実現される。画像メモリ２１５は、画像処理部２１４により処理された画像データが格納される。また本実施形態のコントローラ制御部２１０は、図示しないＮＶＲＡＭ(Non Volatile RAM)等を備えており、ＮＶＲＡＭには画像形成装置１００の動作条件の設定情報等が格納されていても良い。
【００３３】
本実施形態のコントローラ制御部２１０は、外部通信機器からネットワークを介してＬＡＮ(Local Area Network)等で情報を送受信するインターフェイス２１６、ユーザインターフェイスとなる操作制御部２３２や所定の処理対象のデータを格納するＨＤＤ２３０と接続されている。
【００３４】
本実施形態のコントローラ制御部２１０は、ＦＡＸユニット２３１や、エンジン制御部２２０とインターフェイスとＰＣＩバスで結ばれている。コントローラ制御部２１０は、操作制御部２３２や外部機器からインターフェイス２１６を介して画像形成動作の指示を受け付け、画像形成動作を実行し、作成した画像をエンジン制御部２２０にＰＣＩバスを介して伝達する。
【００３５】
本実施形態のエンジン制御部２２０は、ＣＰＵ３００、ＲＡＭ２２１、ＲＯＭ２２２、電装制御部２２３を有する。ＣＰＵ３００は、エンジン制御部２２０の各種処理を行う。また本実施形態のＣＰＵ３００は、定着装置１２８による定着制御を行う。ＣＰＵ３００による定着制御の詳細は後述する。
【００３６】
ＲＡＭ２２１は、各種情報を一時的に記憶する。ＲＯＭ２２２は制御プログラムが格納されている。本実施形態では、ＲＯＭ２２２に定着制御プログラムが格納されていても良い。また本実施形態のＲＯＭ２２２には、後述する加熱体情報２２が格納されていても良い。電装制御部２２３は、電装品２３６を制御する。
【００３７】
以下にＣＰＵ３００の機能について説明する。本実施形態のＣＰＵ３００は、定着制御部３５０を有する。
【００３８】
定着制御部３５０は、画像領域判断部３１０、加熱体選択部３２０、加熱体駆動部３３０、故障時処理部３４０を有する。
【００３９】
画像領域判断部３１０は、コントローラ制御部２１０から受け取った画像データを所定の領域（エリア）毎のデータとし、エリア毎に各エリアにおける画像の有無を判断する。画像領域判断部３１０の処理の詳細は後述する。加熱体選択部３２０は、画像の有るエリアに合わせて実際に加熱させる加熱体３０Ｎを選択する。加熱体駆動部３３０は、選択された加熱体３０Ｎを加熱する。故障時処理部３４０は、加熱体３０Ｎのうち何れかが故障した場合の処理を行う。故障時処理部３４０の処理の詳細は後述する。
【００４０】
本実施形態の画像形成装置１００では、画像処理部２１４から出力された画像データを、画像領域判断部３１０により予め設定された所定エリア毎のデータとし、エリア毎の画像の有無を判断する。次に加熱体選択部３２０は画像が有るエリアと対応する加熱体３０Ｎを選択し、対応する加熱体３０Ｎにエリアを割り当てる。加熱体駆動部３３０は、選択された加熱体３０Ｎを駆動して加熱させる。故障時処理部３４０は、選択された加熱体３０Ｎに故障した加熱体が含まれる場合、故障時の処理を行う。
【００４１】
尚本実施形態の画像形成装置１００は、図示しない機能として、加熱体２００の温度状態を監視する温度センサによる加熱体温度監視機能も備えている。
【００４２】
また本実施形態では、画像領域判断部３１０をエンジン制御部２２０内に搭載する構成としたが、画像領域判断部３１０はコントローラ制御部２１０の画像処理部２１４内に搭載されても良い。この場合画像領域判断部３１０による処理の結果は、コントローラ制御部２１０からエンジン制御部２２０に通知されても良い。
【００４３】
次に図４を参照して本実施形態の画像領域判断部３１０の処理の詳細について説明する。図４は、画像領域判断部の機能を説明する図である。
【００４４】
本実施形態の画像領域判断部３１０は、画像読み込み部３１１、画素カウント部３１２、画像有無判定部３１３、加熱位置決定部３１４を有する。
【００４５】
本実施形態の画像読み込み部３１１は、コントローラ制御部２１０を介して入力される画像データを読み込む。読み込まれた画像データは、一時的にエンジン制御部２２０内のＲＡＭ２２１に格納されても良い。
【００４６】
画素カウント部３１２は、画像データの画素をカウントする。画素カウント部３１２の詳細は後述する。
【００４７】
画像有無判定部３１３は、画像データに含まれる所定のエリア毎に、エリア内の画像の有無を判定する。画像有無判定部３１３による判定の詳細は後述する。加熱位置決定部３１４は、画像が有るエリアに対応する加熱体３０Ｎを加熱位置に決定する。
【００４８】
以下に画素カウント部３１２について説明する。
【００４９】
本実施形態の画素カウント部３１２は、主走査カウント部３１５、副走査カウント部３１６を有する。主走査カウント部３１５は、画像データの主走査方向に画素をカウントする。副走査カウント部３１６は、画像データの副走査方向に画素をカウントする。
【００５０】
本実施形態の画素カウント部３１２は、画像読み込み部３１１が画像データを読み込むと、主走査カウント部３１５により主走査方向に画素をカウントする。すなわち主走査カウント部３１５は、画像データにおける１ラインの幅をカウントする。副走査カウント部３１６は、画像データの副走査方向に画素をカウントする。すなわち副走査カウント部３１６は、画像データにおけるラインの本数をカウントする。
【００５１】
本実施形態の画像領域判断部３１０は、画素カウント部３１２により、主走査方向と副走査方向にそれぞれ画素をカウントすることで、画像データを予め設定されたエリアの集合と判断する。
【００５２】
以下に図５を参照して本実施形態におけるエリアの判断について説明する。図５は、画像データにおけるエリアの判断を説明する図である。
【００５３】
本実施形態では、画像データを予め設定した所定のエリアＥのｍ行×ｎ列の集合Ｅｍｎと捉える。本実施形態では、所定のエリアＥをＸ×Ｙの領域とした。尚Ｘ，Ｙの単位はミリメートルである。
【００５４】
また本実施形態では、例えばＣＰＵ３００の有する記憶領域に、所定のエリアＥ毎に対応したレジスタが設けられている。図５の例では、画像データはエリアＥのｍ行×ｎ列の集合であるから、ＣＰＵ３００の記憶領域には、エリアＥ１１〜エリアＥｍｎのそれぞれに対応したレジスタが設けられている。このレジスタには、画素カウント部３１２によるカウント値が格納される。
【００５５】
本実施形態の画素カウント部３１２は、画像データの左上から順に画像データの画素のカウントを開始する。
【００５６】
画素カウント部３１２の主走査カウント部３１５は、図５に示す画像データＧの左上から主走査方向に画素のカウントを行い、各画素のカウント値をエリアＥ毎に対応したレジスタに格納する。
【００５７】
例えば主走査カウント部３１５は、画像データＧの左上から１ライン目の画素のカウントを開始する。このときカウントされる画素は、エリアＥ１１内の画素である。よって主走査カウント部３１５は、カウント値をエリアＥ１１に対応したレジスタに格納する。すなわち主走査カウント部３１５は、主走査方向にＸミリメートル分の画素をカウントするまで、カウント値をエリアＥ１１と対応したレジスタに格納する。したがってレジスタの値は、エリアＥ１１内の１ライン目を形成する画素のカウント値の和となる。
【００５８】
続いてカウント対象の画素がエリアＥ１２内の画素となると、主走査カウント部３１５は、エリアＥ１２に対応したレジスタにカウント値を格納する。そして主走査カウント部３１５は、エリアＥ１２内の最初の画素から主走査方向にＸミリメートル分の画素をカウントするまで、カウント値をエリアＥ１２に対応するレジスタに格納する。したがってレジスタの値は、エリアＥ１２内の１ライン目を形成する画素のカウント値の和となる。
【００５９】
同様にして、主走査カウント部３１５が主走査方向に１ライン、すなわちＸ×ｎミリメートル分カウントすると、副走査カウント部３１６は、副走査方向にカウントしたライン数をカウントする。この場合、ライン数は１である。よってこのときは、エリアＥ１１〜エリアＥ１ｎに対応するレジスタには、エリアＥ１１〜エリアＥ１ｎそれぞれの１ライン目の画素のカウント値の和が格納されたことになる。
【００６０】
主走査カウント部３１５は、１ラインカウントが終了すると、次のラインの左端の画素からカウントを再開する。主走査カウント部３１５は、２ライン目の左端の画素からカウントを開始し、１ライン目と同様の処理を行う。
【００６１】
本実施形態では、副走査カウント部３１６が副走査方向にＹミリメートル分のライン数のカウントが終了すると、エリアＥ１１〜エリアＥ１ｎは、それぞれがＸミリメートル×Ｙミリメートルの領域内の画素がカウントされたことになる。このときエリアＥ１１〜エリアＥ１ｎのそれぞれに対応するレジスタには、エリアＥ１１〜エリアＥ１ｎ内の全ての画素のカウント値の累積値が格納される。
【００６２】
本実施形態では、エリアＥ２１以降に対しても同様の処理を行い、エリアＥ１１〜エリアＥｍｎそれぞれの画素のカウント値の累積値を得る。
【００６３】
すなわち本実施形態の画像領域判断部３１０は、画素カウント部３１２により、画像データをＸミリメートル×Ｙミリメートルのエリアに分割した際のエリア毎の画素カウント値の累積値を得る。
【００６４】
尚本実施形態では、画像データＧに含まれるエリア数と同数のレジスタを有していても良い。この場合レジスタの数は、ｎ×ｍ個となる。本実施形態のレジスタの数は、画像データの幅（すなわち記録材の幅）と、エリアＥの大きさとに応じて決められる。例えば画像形成装置１００において印刷可能な記録材の最大の幅をＷ１０ミリメートルとした場合のレジスタの数は、Ｗ１０ミリメートル／Ｘミリメートル以上であれば良い。
【００６５】
本実施形態のレジスタに格納されるカウント値は、後述するように、エリア毎の画像の有無の判定にのみ使用される。したがって本実施形態では、各レジスタの大きさは２ビット以上であれば良い。
【００６６】
本実施形態では、Ｘ＝Ｙ＝２ミリメートルとした。すなわち本実施形態では、画像データは２ミリメートル×２ミリメートルのエリアの集合となる。
【００６７】
本実施形態において、Ｘの値は、例えば複数の加熱体３０Ｎのうち最も主走査方向の幅のせまい加熱体３０Ｎの幅と同様の値にしても良い。
【００６８】
また本実施形態のＹの値は、画像形成装置１００における記録材の搬送速度をＶとし、加熱体３０Ｎの加熱応答時間をｔとしたとき、Ｖ＞Ｙ／ｔ１となれば良い。尚加熱応答時間とは、加熱体３０Ｎの加熱を開始してから定着ローラ１２９の温度がトナーを記録材に定着させるために予め設定された所定温度になるまでの時間である。このようにＹの値を決めれば、記録材の搬送速度よりも加熱応答時間が十分に早くなり、定着時に定着ローラ１２９を所定温度まで到達させることができる。
【００６９】
以下に図６を参照して、画像有無判定部３１３による画像の有無の判定を説明する。図６は、画像有無判定部による判定を説明する図である。
【００７０】
本実施形態の画像有無判定部３１３は、画素カウント部３１２により各エリアのカウント値の累積値が格納されたレジスタの値に基づき、各エリア内の画像の有無を判定する。具体的には画像有無判定部３１３は、レジスタの値が０のとき、対応するエリアを画像が無い非画像領域と判定する。また画像有無判定部３１３は、レジスタの値が０でないとき、対応するエリアを画像が有る画像領域と判定する。非画像領域とは、画像（未定着トナー）が存在しない領域であり、定着のための加熱が不要な領域である。画像領域とは、画像（未定着トナー）が存在する領域であり、加熱体３０Ｎによる加熱対象となる領域である。
【００７１】
尚本実施形態では、カウント値の和が０のとき、そのエリアを非画像領域と判定するものとしたが、例えばカウント値が予め設定された所定値以下のときそのエリアを非画像領域と判定しても良い。
【００７２】
本実施形態の加熱位置決定部３１４は、画像領域を加熱位置に決定する。図６に示す画像データＧ１０の例では、エリアＥ２５、Ｅ３５、Ｅ３６、Ｅ４２〜Ｅ４６、Ｅ５２〜Ｅ５７、Ｅ６６、Ｅ６７、Ｅ７７が画像領域であることがわかる。よって加熱位置決定部３１４は、この画像領域を加熱位置に決定する。加熱位置が決定されると、本実施形態の加熱体選択部３２０は、加熱位置に対応する加熱体３０Ｎを選択し、選択された加熱体３０Ｎにより加熱対象の画像領域を加熱する。
【００７３】
次に、本実施形態の画像形成装置１００による画像形成の際の定着装置１２８の温度制御について説明する。
【００７４】
図７は、画像形成の際の定着装置の温度制御を説明する図である。
【００７５】
本実施形態の画像形成装置１００の定着制御部３５０では、定着装置１２８による定着を行う際に、加熱体駆動部３３０により３つの温度領域を予め設定して温度制御を行う。３つの温度領域は、ベース温度領域、紙温度領域、定着温度領域である。ベース温度領域は、ベース温度Ｈ１以下の温度領域である。複数の加熱体３０Ｎを含む加熱体２００の温度は、画像形成装置１００が画像形成動作を行わない場合にはベース温度領域内の温度となる。尚本実施形態では、加熱体２００の温度を検出する温度センサが設けられており、画像形成装置１００に設けられた加熱体温度監視機能により検出される。
【００７６】
紙温度領域は、ベース温度Ｈ１より高く紙温度Ｈ２以下の温度領域である。本実施形態では、画像形成装置１００が印刷要求を受けると、加熱体２００の温度を紙温度領域内まで加熱し、記録材が検出されたときに加熱体２００の温度が紙温度Ｈ２に到達するように、加熱体２００を加熱する。
【００７７】
定着温度領域は、紙温度Ｈ２より高い温度領域である。本実施形態では、画像形成において定着が開始されるとき、加熱体２００に含まれる複数の加熱体３０Ｎのうち、加熱対象として選択された加熱体３０Ｎのみが加熱されて定着温度Ｈ３となる。
【００７８】
すなわち本実施形態では、加熱体２００に含まれる複数の加熱体３０Ｎは、紙温度Ｈ２まで加熱される。そして定着を開始するとき、選択された加熱体３０Ｎのみをさらに加熱して定着温度Ｈ３とする。
【００７９】
図７（Ａ）は、エリアの例であり、図７（Ｂ）は加熱体２００を加熱する駆動信号と加熱体２００の温度の例を示す図である。
【００８０】
図７の例では、エリアＥ２〜Ｅ５、エリアＥ７〜Ｅ８が画像領域である。よってエリアＥ２〜Ｅ５、エリアＥ７〜Ｅ８を加熱する加熱体３０Ｎは定着温度Ｈ３まで加熱される。それ以外のエリア（エリアＥ１、Ｅ６）は、非画像領域である。よってエリアＥ１、Ｅ６に対応する加熱体３０Ｎは、紙温度Ｈ２以下となる。
【００８１】
次に図８を参照して故障時処理部３４０について説明する。図８は、故障時処理部の機能を説明する図である。
【００８２】
本実施形態の故障時処理部３４０は、故障検知部３４１、フラグセット部３４２、画像領域変換部３４３を有する。
【００８３】
本実施形態の故障検知部３４１は、加熱体２００において、加熱体選択部３２０により選択された加熱体３０Ｎに故障しているものが存在するか否かを検知する故障検知の処理を行う。具体的には本実施形態の故障検知部３４１は、加熱体３０Ｎのそれぞれに電流を流し、電流が流れない加熱体３０Ｎを故障と検知する。また本実施形態の故障検知部３４１は、加熱体３０Ｎの故障を検知すると、故障した加熱体３０Ｎの位置情報を取得し、保持する。ここでの位置情報は、主走査方向における故障した加熱体３０Ｎの位置を示す情報である。
【００８４】
フラグセット部３４２は、画素カウント部３１２によりカウントされた画素カウント値に基づき、エリアＥの行及び列毎の画像の有無を示す識別情報（フラグ）をセットする。
【００８５】
画像領域変換部３４３は、故障した加熱体３０Ｎの位置情報とフラグセット部３４２によりセットされたフラグとに基づき、画像領域を変換する画像領域変換モードを画像処理部２１４に設定する。画像領域の変換の詳細は後述する。
【００８６】
図９は、フラグセット部の処理を説明する図である。本実施形態のフラグセット部３４２は、画素カウント部３１２により各エリアのカウント値の累積値が格納されたレジスタの値に基づき、エリアＥの行及び列毎の画像の有無を示すフラグをセットする。
【００８７】
本実施形態では、ＣＰＵ３００の記憶領域内に、エリアＥのｍ行×ｎ列の各行と各列に対応したフラグセット用のレジスタを有している。本実施形態のフラグセット部３４２は、画像データＧ１０において、エリアＥの行毎の画像の有無を判断し、画像が有ると判断された行と対応するレジスタにフラグをセットする。具体的にはフラグセット部３４２は、ｍ行目のエリアＥのカウント値を合算した値が０でないときｍ行には画像有りと判断し、合算した値が０のときｎ行には画像無しと判断する。
【００８８】
例えば図９においてｍ＝１の場合、１行目のエリアＥ１１〜Ｅ１ｎの全てのカウント値は０であるから、１行目のエリアＥのカウント値を合算した値は０となる。よってフラグセット部３４２は、１行目には画像無しと判断し、１行目と対応するレジスタにはフラグをセットしない。
【００８９】
次にｍ＝２の場合、２行目のエリアＥ２１〜Ｅ２ｎには、カウント値が１のエリアが含まれるため、２行目のエリアＥのカウント値を合算した値は０ではなくなる。よってフラグセット部３４２は、２行目には画像有りと判断し、２行目と対応するレジスタにフラグをセットする。
【００９０】
本実施形態のフラグセット部３４２は、画像データＧ１０において、エリアＥの列毎についても同様の処理を行う。図９の例では、ｎ＝１の場合、１列目のエリアＥ１１〜Ｅｍ１の全てのカウント値は０であるから、１列目のエリアＥのカウント値を合算した値は０となる。よってフラグセット部３４２は、１列目には画像無しと判断し、１列目と対応するレジスタにはフラグをセットしない。
【００９１】
次にｎ＝２の場合、２列目のエリアＥ１２〜Ｅｍ２には、カウント値が１のエリアが含まれるため、２列目のエリアＥのカウント値を合算した値は０ではなくなる。よってフラグセット部３４２は、２列目には画像有りと判断し、２列目と対応するレジスタにフラグをセットする。
【００９２】
次に図１０を参照して本実施形態の画像形成装置１００の動作を説明する。図１０は、画像形成装置の動作を説明するフローチャートである。
【００９３】
本実施形態の画像形成装置１００が印刷要求を受け付けると（ステップＳ１００１）、定着制御の処理と、記録材検出の処理と、温度制御の処理とを並行して行う。定着制御の処理は、コントローラ制御部２１０とＣＰＵ３００の定着制御部３５０により実行される。温度制御の処理は、ＣＰＵ３００の定着制御部３５０により実行される。記録材検出の処理は、電装制御部２２３により実行される。
【００９４】
始めに記録材の検出の処理について説明する。
【００９５】
本実施形態の画像形成装置１００において、電装制御部２２３は、記録材の搬送を開始する（ステップＳ１００２）。続いて電装制御部２２３は、記録材が定着装置１２８に到達したか否かを判断する（ステップＳ１００３）。尚本実施形態では、例えば定着装置１２８に記録材の到着を検出する到着検出センサが設けられており、記録材検出センサにより定着装置１２８への記録材の到着を検出しても良い。ステップＳ１００３において、記録材が定着装置１２８に到達すると、電装制御部２２３は、記録材検出信号をＣＰＵ３００へ出力する（ステップＳ１００４）。記録材が検出されると、ＣＰＵ３００において定着制御部３５０は、後述するステップＳ１００８へ進む。
【００９６】
また記録材が検出されると、電装制御部２２３は、記録材が定着装置１２８を通過したか否かを判断する（ステップＳ１００５）。尚本実施形態では、例えば定着装置１２８を記録材が通過したか否かを検出する通過検出センサが設けられており、通過検出センサにより定着装置１２８からの記録材の通過を検出しても良い。ステップＳ１００５において記録材が定着装置１２８を通過すると、電装制御部２２３は、次の印刷要求の有無を判断する（ステップＳ１００６）。ステップＳ１００６において次の印刷要求がある場合、後述するステップＳ１０１０へ進む。ステップＳ１００６において次の印刷要求がない場合、後述するステップＳ１０１１へ進む。
【００９７】
次に温度制御の処理について説明する。
【００９８】
本実施形態の定着制御部３５０は、印刷要求を受け付けると、加熱体駆動部３３０により加熱体２００を加熱し、加熱体２００の温度をベース温度Ｈ１とする（ステップＳ１００７）。続いて定着制御部３５０は、印刷要求を受け付けているため、加熱体駆動部３３０によりさらに加熱体２００を加熱し、加熱体２００の温度を紙温度Ｈ１とする（ステップＳ１００８）。
【００９９】
続いて定着制御部３５０は、後述する定着制御の処理において選択された加熱体３０Ｎを加熱し、定着温度Ｈ３とする（ステップＳ１００９）。加熱体３０Ｎが定着温度Ｈ３となると、未定着トナーが記録材に定着される。
【０１００】
続いて定着制御部３５０は、次の印刷要求がある場合は加熱体２００の温度をベース温度Ｈ１に維持する（ステップＳ１０１０）。また定着制御部３５０は、次の印刷要求がない場合は加熱体２００の加熱を停止し、定着を停止する（ステップＳ１０１１）。
【０１０１】
次に定着制御の処理について説明する。
【０１０２】
本実施形態の画像形成装置１００は、印刷要求を受けると、後述する定着制御の処理を行い（ステップＳ１０１２）、ステップＳ１００９へ進む。
【０１０３】
以下に図１１を参照して定着制御の処理を説明する。図１１は、定着制御の処理を説明するフローチャートである。
【０１０４】
本実施形態の画像形成装置１００は、コントローラ制御部２１０により、読み取った画像データを読み出す（ステップＳ１１０１）。続いてコントローラ制御部２１０は、後述する画像領域変換モードが設定されたか否かを判断する（ステップＳ１１０２）。
【０１０５】
ステップＳ１１０２において画像領域変換モードが設定されていない場合、コントローラ制御部２１０は、画像処理部２１４により読み出した画像データに対して画像処理を行う（ステップＳ１１０３）。画像処理部２１４による画像処理は、画像データをプリンタ部１２０から出力するために必要な画像処理である。
【０１０６】
ステップＳ１１０２において画像領域変換モードが設定されていた場合、画像処理部２１４は、設定された画像領域変換モードに対応する画像処理を行う（ステップＳ１１０４）。
【０１０７】
続いてコントローラ制御部２１０は、画像処理後の画像データをＣＰＵ３００へ送信する（ステップＳ１１０５）。続いてＣＰＵ３００の定着制御部３５０は、画像領域判断部３１０により、コントローラ制御部２１０から受信した画像データの画素をカウントし、画像データを所定エリアの集合と判断する（ステップＳ１１０６）。言い換えれば本実施形態の画像領域判断部３１０は、画像データを所定エリアの画像データに分割する。画素のカウントの方法は、上述した通りである。
【０１０８】
次に定着制御部３５０は、故障時処理部３４０のフラグセット部３４２により、画像データ内のエリアの行及び列毎の画像の有無を示すフラグをセットする（ステップＳ１１０７）。フラグのセットの方法は、上述した通りである。
【０１０９】
続いて画像領域判断部３１０は、画像有無判定部３１３により、画像データにおける全てのエリアについて、画像領域であるか又は非画像領域であるかを判定する（ステップＳ１１０８）。
【０１１０】
続いて定着制御部３５０は、画像領域を複数の加熱体３０Ｎに割り当て、画像領域が割り当てられた加熱体３０Ｎを選択する（ステップＳ１１０９）。ステップＳ１１０９の処理の詳細は後述する。
【０１１１】
続いて定着制御部３５０は、故障時処理部３４０の故障検知部３４１により、ステップＳ１１０９で選択された加熱体３０Ｎそれぞれについて、故障検知の処理を行う（ステップＳ１１１０）。続いて故障検知部３４１は、故障検知の処理の結果から、選択された加熱体３０Ｎに故障した加熱体が含まれるか否かを判断する（ステップＳ１１１１）。
【０１１２】
ステップＳ１１１１において、選択された加熱体３０Ｎに故障した加熱体が含まれない場合、定着制御部３５０は図１０のステップＳ１００９へ進む。
【０１１３】
ステップＳ１１１１において選択された加熱体３０Ｎに故障した加熱体が含まれる場合、画像領域変換部３４３は、実行可能な画像領域変換モードが全て実施されたか否かを判断する（ステップＳ１１１２）。ステップＳ１１１２において、全て実施されていた場合、画像形成装置１００は印刷を停止し（ステップＳ１１１３）、処理を終了する。
【０１１４】
ステップＳ１１１２において、全て実施されていない場合、画像領域変換部３４３は、故障した加熱体３０Ｎの位置情報を取得して画像領域変換モードを設定し（ステップＳ１１１４）、ステップＳ１１０１へ戻る。
【０１１５】
以上のように本実施形態の画像領域変換部３４３は、選択された加熱体３０Ｎに故障が検知されたとき、実行可能な画像領域変換モードの何れかを設定する。画像領域変換モードは、例えば画像領域をずらす（シフトさせる）モード、画像領域を回転させるモード、画像領域を縮小するモード、画像領域を集約させるモード等がある。
【０１１６】
本実施形態の画像領域変換部３４３は、実施可能な全ての画像領域変換モードにおいて、選択された加熱体３０Ｎに故障が検知された場合、画像データの出力不可と判断する。
【０１１７】
以下にステップＳ１１１４における画像領域変換部３４３の処理について説明する。
【０１１８】
また本実施形態の画像領域変換部３４３は、故障した加熱体３０Ｎの位置情報とフラグセット部３４２によりセットされた画像データの行毎及び列毎のフラグの有無とを参照し、画像領域変換モードを設定する。
【０１１９】
以下に図１２ないし図１５を参照して画像領域変換モードの設定について説明する。
【０１２０】
図１２は、画像領域変換部の処理を説明する第一の図である。図１２の例では、画像領域変換モードの一例として、画像を回転させることで画像領域Ｓ１０を変換させる。
【０１２１】
図１２の例では、加熱体３０２が故障している。図１２の例において、画像データＧ２０をエリアＥ１１〜Ｅｍｎの集合としたとき、ｍ＝１の行、ｍ＝２の行、ｍ＝３の行は、画像の有無を示すフラグは立っていない。またｎ＝１の列、ｎ＝ｍの例は画像の有無を示すフラグは立っていない。
【０１２２】
本実施形態の画像領域変換部３４３は、加熱体３０２に画像が有る列及び行を割り当てずに、画像領域Ｓ１０を定着させることができるか否かを判断する。図１２の例では、画像領域変換部３４３は、画像Ｓ１０を回転させれば、加熱体３０２に対して画像の無い行及び列を割り当てることができると判断する。加熱体３０２に対して画像の無い行及び列を割り当てることができれば、加熱体３０２を使用せずに画像Ｓ１０を定着させることができる。
【０１２３】
図１３は、画像領域変換部の処理を説明する第二の図である。図１３の例では、画像領域変換モードの一例として、画像Ｓ１０を主走査方向にシフト（移動）させることで画像領域を変換させる。尚図１３では画像をシフトさせる方向を主走査方向としたが、これに限定されない。本実施形態では、例えば画像を副走査方向にシフトさせても良いし、主走査方向と副走査方向の両方にシフトさせても良い。
【０１２４】
図１４は、画像領域変換部の処理を説明する第三の図である。図１４の例では、画像領域変換モードの一例として、画像Ｓ１０を縮小させることで画像領域を変換させる。
【０１２５】
図１５は、画像領域変換部の処理を説明する第四の図である。図１５の例では、画像領域変換モードの一例として、画像Ｓ１０を集約させることで画像領域を変換させる。
【０１２６】
本実施形態の画像領域変換部３４３は、例えば図１２〜図１５に示す画像領域変換モードに優先順位を付与しておき、優先順位に従って各処理毎に画像の出力が可能か否かを判断しても良い。そして画像領域変換部３４３は、画像の出力が可能と最初に判断された画像領域変換モードを設定しても良い。
【０１２７】
本実施形態では、例えば画像をシフトさせる処理、画像の回転させる処理、画像を縮小する処理、画像を集約する処理の順に処理の優先順位を付与しても良い。また本実施形態では、例えば画像形成装置１００における出力設定に基づき、画像領域の変換の処理の優先順位を付与しても良い。例えば出力設定にステープル処理が含まれている場合、画像を回転させることは好ましくない。よってこの場合は、画像を回転させる処理の優先順位を最下位としても良い。
【０１２８】
以上のように本実施形態の画像形成装置１００では、加熱体２００を構成する個々の加熱体３０Ｎのうち、何れかが故障した場合でも、他の加熱体３０Ｎに画像領域を割り当てることで、画像を出力させることができる。よって本実施形態では、定着装置１２８の交換回数及びダウンタイムを低減させることができる。
【０１２９】
次に図１６を参照して本実施形態の定着制御部３５０の加熱体選択部３２０による加熱体３０Ｎの選択について説明する。図１６は、加熱体選択部の処理を説明するフローチャートである。図１６は、図１１のステップＳ１１０７の処理の詳細を示している。
【０１３０】
本実施形態の加熱体選択部３２０は、記録材の幅を検出する（ステップＳ１６０１）。記録材の幅は、例えば定着装置１２８に記録材が到着した際に、定着装置１２８に設けられている到着検出センサ等により検出されても良い。
【０１３１】
続いて加熱体選択部３２０は、記録材の幅に合わせて使用する加熱体３０Ｎを選択する（ステップＳ１６０２）。具体的には例えば、記録材が加熱体２００の中央部分に配置され、加熱体２００の両端部に対応する記録材が存在しない場合には、対応する記録材が存在しない加熱体３０Ｎは使用しない。例えば図２に示す加熱体２００において、加熱体３０１と加熱体３０Ｎと対応する位置に記録材が存在しない場合、加熱体選択部３２０は、加熱体３０１と加熱体３０Ｎ以外の加熱体を使用する加熱体として選択する。
【０１３２】
続いて加熱体選択部３２０は、記録材の端部に位置する加熱体３０Ｎを使用するか否かを判断する（ステップＳ１６０３）。例えば画像が記録材の中央部に集中し、記録材の端部に画像が無い場合等がある。この場合には、記録材の端部に位置する加熱体３０Ｎをオンさせる必要はない。本実施形態では、記録材の端部に位置する加熱体３０Ｎを使用するか否か、設定により予め決められていても良い。
【０１３３】
例えば記録材の端部に位置する加熱体３０Ｎを使用する設定であった場合、加熱体選択部３２０は、ステップＳ１６０２で選択された全ての加熱体３０Ｎを使用する。また記録材の端部に位置する加熱体３０Ｎを使用しない設定であった場合、加熱体選択部３２０は、該当する加熱体３０Ｎを選択しない。
【０１３４】
続いて加熱体選択部３２０は、ＲＯＭ２２２から加熱体情報２２（図３参照）を取得する（ステップＳ１６０４）。本実施形態の加熱体情報２２とは、加熱体２００に関する情報であり、具体的には複数の加熱体３０Ｎのそれぞれの幅、配置、温度上昇率、定着ベルト１３８の回転による温度低下率が含まれる。
【０１３５】
続いて加熱体選択部３２０は、ステップＳ１６０２、ステップＳ１６０３で使用するものとして選択された加熱体３０Ｎに対し、加熱体３０Ｎの加熱体情報２２を参照して画像データのエリアを割り当てる（ステップＳ１６０５）。本実施形態では、加熱体３０Ｎにエリアを割り当てる際に、主に加熱体情報２２に含まれる加熱体３０Ｎの幅と配置を参照する。
【０１３６】
以下に図１７を参照して加熱体３０Ｎに対する画像データのエリアの割り当てについて説明する。図１７は、加熱体に対する画像データのエリアの割り当てを説明する図である。
【０１３７】
図１７では、加熱体２００において加熱体３０１〜３０７が使用する加熱体として選択された例を示している。また図１７では、加熱体２００に対し、エリアＥ１〜エリアＥ２１を割り当てる例を示している。
【０１３８】
本実施形態の加熱体選択部３２０は、エリアＥ１のカウント値が格納されたレジスタのアドレスから、エリアＥ１が画像データにおいて主走査方向及び副走査方向のどの位置のエリアであるかを判断する。そして加熱体選択部３２０は、エリアＥ１の位置から、どの加熱体３０ＮにエリアＥ１の加熱を行わせるかを判断する。
【０１３９】
例えばエリアＥ１に対応する位置にある加熱体は、加熱体３０１である。よって加熱体選択部３２０は、加熱体３０１にエリアＥ１を割り当てる。次に加熱体選択部３２０は、エリアＥ１とエリアＥ２の合計幅Ｗｅ１が、加熱体３０１の幅Ｗ１以下となるか否かを判断する。そして合計幅Ｗｅ１≦幅Ｗ１であれば、加熱体選択部３２０は、エリアＥ２も加熱体３０１へ割り当てる。
【０１４０】
以上のようにして、加熱体選択部３２０は、加熱体３０Ｎの幅ＷＮと、エリアの主走査方向の幅とに基づき、個々の加熱体３０Ｎに対してエリアを割り当てる。
【０１４１】
例えばエリアＥ３，Ｅ４の主走査方向の幅Ｗｅ２は、加熱体３０２の幅Ｗ２以下である。よって本実施形態の加熱体選択部３２０は、加熱体３０２にエリアＥ３，Ｅ４を割り当てる。同様にして、加熱体選択部３２０は、加熱体３０３にエリアＥ５〜Ｅ７を割り当て、加熱体３０４にエリアＥ８〜Ｅ１４を割り当てる。さらに加熱体選択部３２０は、加熱体３０５にエリアＥ１５〜Ｅ１７、加熱体３０６にエリアＥ１８，Ｅ１９、加熱体３０７にエリアＥ２０，Ｅ２１を割り当てる。
【０１４２】
本実施形態の加熱体選択部３２０は、以上のようにして、画像データに含まれる全てのエリアを加熱体３０Ｎに割り当てる。
【０１４３】
続いて加熱体選択部３２０は、全ての加熱体３０Ｎのオン/オフを決定したか否かを判断する（ステップＳ１６０６）。尚ここでの「加熱体３０Ｎをオンさせる」とは、紙温度Ｈ２まで加熱された加熱体３０Ｎをさらに定着温度Ｈ３まで加熱することを意味する。また「加熱体３０Ｎをオフさせる」とは、加熱体３０Ｎを定着温度Ｈ３まで加熱せずに紙温度Ｈ２に維持することを意味する。
【０１４４】
加熱体３０Ｎのオン/オフはまだ決定していない場合、定着制御部３５０は、次のステップＳ９０７へ進む。加熱体選択部３２０は、加熱体３０Ｎに割り当てられたエリアにおいて、画像領域があるか否かを判断する（ステップＳ１６０７）。
【０１４５】
ステップＳ１６０７において、割り当てられたエリアに画像領域が含まれる場合、加熱体選択部３２０は、加熱体３０Ｎをオンさせるものとし（ステップＳ１６０８）、ステップＳ１６０６へ戻る。またステップＳ１６０７において割り当てられたエリアに画像領域が含まれない場合、加熱体選択部３２０は、加熱体３０Ｎをオフさせるものとし（ステップＳ１６０９）、ステップＳ１６０６へ戻る。
【０１４６】
ステップＳ１６０６において、全ての加熱体３０Ｎのオン／オフが決定したら、図１１のステップＳ１１０８の処理に進む。
【０１４７】
以下に再度図１７を参照して、加熱体３０Ｎのオン／オフの決定について説明する。図１７において、加熱体３０１に割り当てられたエリアは、エリアＥ１，Ｅ２である。図１７の例では、エリアＥ１には画像がなくカウント値は０である。よってエリアＥ１は非画像領域である。またエリアＥ２は画像が有り、カウント値は１である。よってエリアＥ２は画像領域である。したがって図１７の例では、加熱体３０１に割り当てられたエリアにおいて、カウント値が０でないエリア、すなわち画像領域が含まれることがわかる。よって本実施形態では、加熱体３０１をオンさせる。
【０１４８】
同様に、加熱体３０２に割り当てられてエリアは、エリアＥ３，Ｅ４である。エリアＥ３，Ｅ４のカウント値は、それぞれ０である。すなわち加熱体３０２に割り当てられたエリアには、画像領域が存在しないことがわかる。よって本実施形態の加熱体選択部３２０は、加熱体３０２をオフさせる。
【０１４９】
同様に図１７の例では、加熱体３０３、３０４、３０５、３０６はオンされ、加熱体３０７はオフされる。
【０１５０】
以上のように本実施形態では、画像が有る画像領域が割り当てられた加熱体３０Ｎのみを定着温度Ｈ３まで加熱する。したがって本実施形態によれば、効率良くトナーを定着させることができる。また本実施形態では、読み込まれた画像データを所定エリアの集合と見なし、各エリア毎の画素のカウント値に基づき定着制御を行うため、定着制御の際に取り扱うデータ量を低減することができる。
【０１５１】
尚図１６では、最初に全てのエリアを加熱体３０Ｎに対して割り当て、その後にエリアにおける画像の有無を判断するものとしたが、これに限定されない。例えば最初に各エリアにおける画像の有無を判断し、画像が有るエリアだけを加熱体３０Ｎに割り当てるようにしても良い。
【０１５２】
また図１７では、加熱体３０Ｎの幅がそれぞれ異なるものとして説明したが、これに限定されない。例えば加熱体３０Ｎは全て同じ大きさであっても良いし、エリアの幅が加熱体３０Ｎの幅と同じであっても良い。
【０１５３】
図１８は、エリアの幅が加熱体の幅と同じ場合の加熱体に対するエリアを割り当ての例を示す図である。図１８（Ａ）は割り当ての第１の例であり、図１８（Ｂ）は割り当ての第２の例である。
【０１５４】
図１８（Ａ）、（Ｂ）では、加熱体３０１〜３０Ｎに対して、エリア２１〜３２までが割り当てられる。図１８の例では、１つの加熱体に対して１つのエリアが割り当てられる。
【０１５５】
図１８（Ａ）の例では、エリアＥ２１〜３２のうち、画像領域であるエリアは、エリアＥ２２，Ｅ２６〜Ｅ３１である。よってエリアＥ２２，Ｅ２６〜Ｅ３１が割り当てられた加熱体３０Ｎがオンされる。
【０１５６】
図１８（Ｂ）の例では、エリアＥ２１〜３２のうち、画像領域であるエリアは、エリアＥ２２〜Ｅ２８，エリアＥ３０，Ｅ３１である。よってエリアＥ２２〜Ｅ２８，エリアＥ３０，Ｅ３１が割り当てられた加熱体３０Ｎがオンされる。
【０１５７】
以上のように本実施形態では、画像データを所定エリアの集合と見なし、各エリアを複数の加熱体３０Ｎに対して割り当てる。そして本実施形態では、割り当てられたエリアに画像領域が含まれる加熱体３０Ｎのみを定着温度Ｈ３まで加熱し、未定着トナーを定着させる。
【０１５８】
また本実施形態では、画像データを所定エリアに分割するため、定着制御で取り扱うデータは、エリア毎のカウント値となる。よって本実施形態では、画像データに基づく書きく込み制御データをそのまま定着制御に用いる場合に比べて、定着制御の際に取り扱うデータ量を大幅に低減することができる。また本実施形態では、画像領域のエリアが割り当てられた加熱体３０Ｎのみを定着温度まで加熱させる。このため本実施形態によれば、定着に係る電力を低減でき、効率良くトナーを定着させることができる。
【０１５９】
また本実施形態は、画像データを所定エリアの集合と捉え、各エリアを加熱体に対して割り当てる。したがって本実施形態では、加熱体の形状や数が変わったとしても、加熱体情報２２がＲＯＭ２２２に格納されていれば、加熱体にエリアを割り当てることができる。したがって本実施形態は、加熱体の形状や構成に関わらず適用することができ、汎用性を高めることができる。
【０１６０】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【０１６１】
１００  画像形成装置
１２８  定着装置
１２９  定着ローラ
２００、３０１〜３０Ｎ  加熱体
２１０  コントローラ制御部
２２０  エンジン制御部
３００  ＣＰＵ
３１０  画像領域判断部
３１２  画素カウント部
３１３  画像有無判断部
３１４  加熱位置決定部
３１５  主走査カウント部
３１６  副走査カウント部
３２０  加熱体選択部
３３０  加熱体駆動部
３４０  故障時処理部
３４１  故障検知部
３４２  フラグセット部
３４３  画像領域変換部
３５０  定着制御部
【先行技術文献】
【特許文献】
【０１６２】
【特許文献１】特開平７−２２５５２４号公報
【図１】
2014163981.tif 000003
【図２】
2014163981.tif 000004
【図３】
2014163981.tif 000005
【図４】
2014163981.tif 000006
【図５】
2014163981.tif 000007
【図６】
2014163981.tif 000008
【図７】
2014163981.tif 000009
【図８】
2014163981.tif 000010
【図９】
2014163981.tif 000011
【図１０】
2014163981.tif 000012
【図１１】
2014163981.tif 000013
【図１２】
2014163981.tif 000014
【図１３】
2014163981.tif 000015
【図１４】
2014163981.tif 000016
【図１５】
2014163981.tif 000017
【図１６】
2014163981.tif 000018
【図１７】
2014163981.tif 000019
【図１８】
2014163981.tif 000020